(57)【要約】  【課題】  携帯電話機からデータを受信したとしてもファクシミリ装置側のタスク動作が限定的であるために、バリエーションが少ない。  【解決手段】  携帯電話機２とデータ通信する赤外線通信インタフェース１６を備えたファクシミリ装置１であって、データ種別に対応した実行タスクに関わるタスク制御プログラムを記憶した実行タスク設定エリア２２Ｄと、赤外線通信インタフェースを通じて携帯電話機からオブジェクトを受信すると、このオブジェクトのフォーマットを解析するフォーマット解析部１９と、この解析結果に基づきデータ種別を判別し、このデータ種別に対応したタスク制御プログラムを実行タスク設定エリアから読み出し、このタスク制御プログラムに基づき、実行タスクに関わる制御動作を実行する主制御部２３とを有している。【選択図】  図１
2006340308.tif 000002
【特許請求の範囲】
【請求項１】
端末装置とデータ通信する赤外線通信機能を備えたファクシミリ装置であって、
前記データのデータ種別に対応した実行タスクに関わるタスク制御プログラムを記憶したタスク記憶手段と、
前記赤外線通信機能を通じて前記端末装置からデータを受信すると、このデータのデータ種別を判別するデータ判別手段と、
前記データ判別手段にて前記赤外線通信機能を通じて受信したデータのデータ種別を判別すると、このデータ種別に対応したタスク制御プログラムを前記タスク記憶手段から読み出し、このタスク制御プログラムに基づき、実行タスクに関わる制御動作を実行するタスク制御手段とを有することを特徴とするファクシミリ装置。
【請求項２】
前記実行タスクを一覧表示する表示手段と、
前記表示手段に表示中の実行タスクの内、前記データ種別に対応した実行タスクを選択する選択手段と、
この選択手段にて前記データ種別に対応した実行タスクを選択すると、このデータ種別に対応した実行タスクに関わるタスク制御プログラムを前記タスク記憶手段に記憶更新する記憶制御手段とを有することを特徴とする請求項１記載のファクシミリ装置。
【請求項３】
前記データ判別手段は、
前記赤外線通信機能を通じてデータを受信すると、このデータからＩｒＭＣ規格に基づくオブジェクトフォーマットを解析するフォーマット解析手段を有し、前記フォーマット解析手段にて解析したオブジェクトフォーマットに基づき、前記データ種別を判別することを特徴とする請求項１又は２記載のファクシミリ装置。
【請求項４】
前記データ種別が電話帳データの場合、前記実行タスクは、前記赤外線通信機能を通じて受信した電話帳データに基づく、電話帳ダイヤル発信動作又は電話帳データの登録動作であることを特徴とする請求項１，２又は３記載のファクシミリ装置。
【請求項５】
前記データ種別が電子メールデータの場合、前記実行タスクは、前記赤外線通信機能を通じて受信した電子メールデータに基づく、この電子メール内容の印刷出力動作又は同電子メール内容のファックス送信動作であることを特徴とする請求項１，２又は３記載のファクシミリ装置。
【請求項６】
前記データ種別が画像データの場合、前記実行タスクは、前記赤外線通信機能を通じて受信した画像データに基づく、前記表示手段に表示する待機登録画面への登録動作、又は前記表示手段に表示する電話帳画面への登録動作であることを特徴とする請求項１，２又は３記載のファクシミリ装置。
【請求項７】
データのデータ種別に対応した実行タスクに関わるタスク制御プログラムを記憶するステップと、
端末装置からのデータを赤外線通信で受信するステップと、
前記赤外線通信で受信したデータのデータ種別を判別するステップと、
前記赤外線通信で受信したデータのデータ種別を判別すると、このデータ種別に対応した実行タスクに関わるタスク制御プログラムを読み出し、このタスク制御プログラムに基づき、実行タスクに関わる制御動作を実行するステップとを有することを特徴とするファクシミリ装置のタスク実行方法。
【発明の詳細な説明】
【技術分野】
【０００１】
本発明は、例えば携帯電話機等の端末装置とデータ通信する、例えばＩｒＤＡ（Ｉｎｆｒａｒｅｄ  Ｄａｔａ  Ａｓｓｏｃｉａｔｉｏｎ）のＩｒＭＣ（Ｉｎｆｒａｒｅｄ  Ｍｏｂｉｌｅ  Ｃｏｍｍｕｎｉｃａｔｉｏｎ）規格の赤外線通信機能を備えたファクシミリ装置及び、ファクシミリ装置のタスク実行方法に関する。
【背景技術】
【０００２】
従来、このような携帯電話機等の端末装置とデータ通信するファクシミリ装置としては、携帯電話機と接続し、この携帯電話機に記憶中の電話番号やメールアドレス等のデータを読み出して表示部に表示し、相手先の電話番号を選択することで同ファクシミリ装置からダイヤル発信動作を行うことができるものが知られている(例えば特許文献１参照)。
【０００３】
この特許文献１によれば、携帯電話機に記憶されている相手先の電話番号をワンタッチ操作でファクシミリ装置からでも発信することができる。
【０００４】
また、近年、ＩｒＤＡのＩｒＭＣ規格では、携帯電話機及びファクシミリ装置間の赤外線通信の適用を目的とした通信を規格化し、携帯電話機及びファクシミリ装置間の赤外線通信データ、すなわちオブジェクトに、同オブジェクトのデータ種別を判別するオブジェクトフォーマット、例えばオブジェクトが電話帳データの場合はｖＣａｒｄ、電子メールデータの場合はｖＭｅｓｓａｇｅ、画像データの場合はｖＮｏｔｅ等が付与されているため、同オブジェクトフォーマットを解析することでオブジェクトのデータ種別を認識することができる。
【０００５】
図６（Ａ）はＩｒＭＣ規格の電話帳データのオブジェクト構成を端的に示す説明図である。
【０００６】
図６（Ａ）に示す電話帳データのオブジェクトは、先頭にＢＥＧＩＮ：ＶＣＡＲＤ、最後尾にＥＮＤ：ＶＣＡＲＤ、これらＢＥＧＩＮ：ＶＣＡＲＤ及びＥＮＤ：ＶＣＡＲＤ間に電話帳データのデータ内容、例えば名前、電話番号、電子メールアドレスや住所等が配置されることになる。
【０００７】
図６（Ｂ）はＩｒＭＣ規格の画像データのオブジェクト構成を端的に示す説明図である。
【０００８】
図６（Ｂ）に示す画像データは、先頭にＢＥＧＩＮ：ＶＮＯＴＥ、最後尾にＥＮＤ：ＶＮＯＴＥ、これらＢＥＧＩＮ：ＶＮＯＴＥ及びＥＮＤ：ＶＮＯＴＥ間に画像データのデータ内容、例えば静止画像等が配置されることになる。
【０００９】
図６（Ｃ）はＩｒＭＣ規格の電子メールデータのオブジェクト構成を端的に示す説明図である。
【００１０】
図６（Ｃ）に示す電子メールデータは、先頭にＢＥＧＩＮ：ＶＭＥＳＳＡＧＥ、最後尾にＥＮＤ：ＶＭＥＳＳＡＧＥ、これらＢＥＧＩＮ：ＶＭＥＳＳＡＧＥ及びＥＮＤ：ＶＭＥＳＳＡＧＥ間に電子メールデータのデータ内容が配置されることになる。
【特許文献１】特開２００３−２８３７８７号公報（要約書及び図1参照）
【発明の開示】
【発明が解決しようとする課題】
【００１１】
しかしながら、特許文献１のファクシミリ装置によれば、赤外線通信ではないが、携帯電話機とデータ通信することで同携帯電話機に記憶中の電話番号データを読み出し、この電話番号データを表示部に一覧表示し、この表示部に表示中の電話番号データから通信先の電話番号を選択することでワンタッチ発信することができるようにしたが、例えば携帯電話機や携帯電話機に接続可能な携帯用記憶媒体には電話帳データだけではなく、電子メールデータや画像データも記憶されているものの、これら電子メールデータや画像データについては何等配慮されていないのが実情である。
【００１２】
本発明は上記点に鑑みてなされたものであり、その目的とするところは、例えば携帯電話機や携帯用記憶媒体に記憶中の様々なデータに応じて、様々なタスク動作を実行することができる、バリエーションに富んだファクシミリ装置、及びファクシミリ装置のタスク実行方法を提供することにある。
【課題を解決するための手段】
【００１３】
上記目的を達成するために本発明のファクシミリ装置は、端末装置とデータ通信する赤外線通信機能を備えたファクシミリ装置であって、前記データのデータ種別に対応した実行タスクに関わるタスク制御プログラムを記憶したタスク記憶手段と、前記赤外線通信機能を通じて前記端末装置からデータを受信すると、このデータのデータ種別を判別するデータ判別手段と、前記データ判別手段にて前記赤外線通信機能を通じて受信したデータのデータ種別を判別すると、このデータ種別に対応したタスク制御プログラムを前記タスク記憶手段から読み出し、このタスク制御プログラムに基づき、実行タスクに関わる制御動作を実行するタスク制御手段とを有するようにした。
【発明の効果】
【００１４】
上記のように構成された本発明のファクシミリ装置によれば、データのデータ種別に対応した実行タスクに関わるタスク制御プログラムをタスク記憶手段に記憶しておき、前記赤外線通信機能を通じて前記端末装置からデータを受信すると、このデータのデータ種別を判別し、このデータ種別に対応したタスク制御プログラムを前記タスク記憶手段から読み出し、このタスク制御プログラムに基づき、実行タスクに関わる制御動作を実行するようにしたので、例えばデータ種別が電話帳データの場合は電話帳ダイヤル発信動作、電子メールデータの場合は電子メールの印刷出力動作、画像データの場合はファクシミリ装置の待機画面への登録動作等のように端末装置から受信したデータのデータ種別に応じて、バリエーションに富んだ様々なタスク動作を実行することができ、その結果、ユーザの操作負担を大幅に軽減することができると共に、操作速度の大幅向上を図ることができる。
【発明を実施するための最良の形態】
【００１５】
本願請求項１記載のファクシミリ装置は、端末装置とデータ通信する赤外線通信機能を備えたファクシミリ装置であって、前記データのデータ種別に対応した実行タスクに関わるタスク制御プログラムを記憶したタスク記憶手段と、前記赤外線通信機能を通じて前記端末装置からデータを受信すると、このデータのデータ種別を判別するデータ判別手段と、前記データ判別手段にて前記赤外線通信機能を通じて受信したデータのデータ種別を判別すると、このデータ種別に対応したタスク制御プログラムを前記タスク記憶手段から読み出し、このタスク制御プログラムに基づき、実行タスクに関わる制御動作を実行するタスク制御手段とを有するようにした。
【００１６】
従って、本願請求項１記載のファクシミリ装置によれば、データのデータ種別に対応した実行タスクに関わるタスク制御プログラムをタスク記憶手段に記憶しておき、前記赤外線通信機能を通じて前記端末装置からデータを受信すると、このデータのデータ種別を判別し、このデータ種別に対応したタスク制御プログラムを前記タスク記憶手段から読み出し、このタスク制御プログラムに基づき、実行タスクに関わる制御動作を実行するようにしたので、例えばデータ種別が電話帳データの場合は電話帳ダイヤル発信動作、電子メールデータの場合は電子メールの印刷出力動作、画像データの場合はファクシミリ装置の待機画面への登録動作等のように端末装置から受信したデータのデータ種別に応じて、バリエーションに富んだ様々なタスク動作を実行することができ、その結果、ユーザの操作負担を大幅に軽減することができると共に、操作速度の大幅向上を図ることができる。
【００１７】
また、本願請求項２記載のファクシミリ装置は、本願請求項１記載の構成に加えて、前記実行タスクを一覧表示する表示手段と、前記表示手段に表示中の実行タスクの内、前記データ種別に対応した実行タスクを選択する選択手段と、この選択手段にて前記データ種別に対応した実行タスクを選択すると、このデータ種別に対応した実行タスクに関わるタスク制御プログラムを前記タスク記憶手段に記憶更新する記憶制御手段とを有するようにした。
【００１８】
従って、本願請求項２記載のファクシミリ装置によれば、本願請求項１記載の効果に加えて、選択可能な実行タスクを表示手段に一覧表示し、選択手段にてデータ種別に対応した実行タスクを選択すると、このデータ種別に対応した実行タスクに関わるタスク制御プログラムをタスク記憶手段に記憶更新するようにしたので、ユーザ側でデータ種別に対応した実行タスクを自由に設定することができる。
【００１９】
また、本願請求項３記載のファクシミリ装置は、本願請求項１又は２記載の構成に加えて、前記データ判別手段は、前記赤外線通信機能を通じてデータを受信すると、このデータからＩｒＭＣ規格に基づくオブジェクトフォーマットを解析するフォーマット解析手段を有し、前記フォーマット解析手段にて解析したオブジェクトフォーマットに基づき、前記データ種別を判別するようにした。
【００２０】
従って、本願請求項３記載のファクシミリ装置によれば、本願請求項１又は２記載の効果に加えて、前記赤外線通信機能を通じてデータを受信すると、このデータからＩｒＭＣ規格に基づくオブジェクトフォーマットを解析し、このオブジェクトフォーマットに基づきデータ種別を判別するようにしたので、例えばオブジェクトフォーマットがｖＣａｒｄの場合は電話帳データ、ｖＮｏｔｅの場合は画像データ、ｖＭｅｓｓａｇｅの場合は電子メールデータといったように、ＩｒＭＣ規格に基づきデータ種別を判別することができる。
【００２１】
また、本願請求項４記載のファクシミリ装置は、本願請求項１，２又は３記載の構成に加えて、前記データ種別が電話帳データの場合、前記実行タスクは、前記赤外線通信機能を通じて受信した電話帳データに基づく、電話帳ダイヤル発信動作又は電話帳データの登録動作であるようにした。
【００２２】
従って、本願請求項４記載のファクシミリ装置によれば、本願請求項１，２又は３記載の効果に加えて、前記赤外線通信機能を通じて前記端末装置から電話帳データを受信すると、この電話帳データに対応したタスク制御プログラムを読み出し、このタスク制御プログラムに基づき、例えば電話帳データによる電話帳ダイヤル発信動作又は電話帳データのファクシミリ装置内部への登録動作を自動的に実行することができる。
【００２３】
また、本願請求項５記載のファクシミリ装置は、本願請求項１，２又は３記載の構成に加えて、前記データ種別が電子メールデータの場合、前記実行タスクは、前記赤外線通信機能を通じて受信した電子メールデータに基づく、この電子メール内容の印刷出力動作又は同電子メール内容のファックス送信動作であるようにした。
【００２４】
従って、本願請求項５記載のファクシミリ装置によれば、本願請求項１，２又は３記載の効果に加えて、前記赤外線通信機能を通じて前記端末装置から電子メールデータを受信すると、この電子メールデータに対応したタスク制御プログラムを読み出し、このタスク制御プログラムに基づき、例えば電子メール内容の印刷出力動作又は同電子メール内容のファックス送信動作を自動的に実行することができる。
【００２５】
また、本願請求項６記載のファクシミリ装置は、本願請求項１，２又は３記載の構成に加えて、前記データ種別が画像データの場合、前記実行タスクは、前記赤外線通信機能を通じて受信した画像データに基づく、前記表示手段に表示する待機登録画面への登録動作、又は前記表示手段に表示する電話帳画面への登録動作であるようにした。
【００２６】
従って、本願請求項６記載のファクシミリ装置は、本願請求項１，２又は３記載の効果に加えて、前記赤外線通信機能を通じて前記端末装置から画像データを受信すると、この画像データに対応したタスク制御プログラムを読み出し、このタスク制御プログラムに基づき、例えば前記表示手段に表示する待機登録画面への登録動作、又は前記表示手段に表示する電話帳画面への登録動作を自動的に実行することができる。
【００２７】
また、本願請求項７記載のファクシミリ装置のタスク実行方法は、データのデータ種別に対応した実行タスクに関わるタスク制御プログラムを記憶するステップと、端末装置からのデータを赤外線通信で受信するステップと、前記赤外線通信で受信したデータのデータ種別を判別するステップと、前記赤外線通信で受信したデータのデータ種別を判別すると、このデータ種別に対応した実行タスクに関わるタスク制御プログラムを読み出し、このタスク制御プログラムに基づき、実行タスクに関わる制御動作を実行するステップとを有するようにした。
【００２８】
従って、本願請求項７記載のファクシミリ装置のタスク実行方法によれば、データのデータ種別に対応した実行タスクに関わるタスク制御プログラムを記憶しておき、前記赤外線通信機能を通じて前記端末装置からデータを受信すると、このデータのデータ種別を判別し、このデータ種別に対応したタスク制御プログラムを前記タスク記憶手段から読み出し、このタスク制御プログラムに基づき、実行タスクに関わる制御動作を実行するようにしたので、例えばデータ種別が電話帳データの場合は電話帳ダイヤル発信動作、電子メールデータの場合は電子メールの印刷出力動作、画像データの場合はファクシミリ装置の待機画面への登録動作等のように端末装置から受信したデータのデータ種別に応じて、バリエーションに富んだ様々なタスク動作を実行することができ、その結果、ユーザの操作負担を大幅に軽減することができると共に、その操作速度の大幅向上を図ることができる。
【００２９】
以下、図面に基づき本発明の実施の形態を示すファクシミリ装置について説明する。図１は本実施の形態を示すファクシミリ装置内部の概略構成を示すブロック図、図２は同ファクシミリ装置の外観構成を示す正面図である。
【００３０】
図１に示すファクシミリ装置１は、原稿の画像情報を読み取る原稿読取部１１と、受信した画像情報を記録する記録部１２と、送信する画像データを圧縮化すると共に、受信した画像データを復号化する符号化復号化部１３と、ファクシミリ通信の手順信号を伝送すると共に、画像情報を伝送するモデム１４と、電話回線３と接続して同電話回線３との回線制御を司るＮＣＵ１５と、携帯電話機２とのＩｒＭＣ規格に基づく赤外線通信の通信インタフェースを司る赤外線通信インタフェース１６と、赤外線通信インタフェース１６を通じて携帯電話機２を接続検知する接続端末検知部１７と、赤外線通信インタフェース１６を通じて携帯電話機２の内部メモリ部２Ａ又はカード型記憶装置２Ｂに記憶中のデータ、例えば電話帳データ、画像データや電子メールデータ等の各種データをオブジェクトとして読み出すデータ読出部１８と、このオブジェクトからデータ種別を識別するオブジェクトフォーマットを解析するフォーマット解析部１９と、様々な情報を表示する表示部２０と、様々なコマンドを入力する操作部２１と、様々な情報を記憶するメモリ２２と、このファクシミリ装置１全体を制御する主制御部２３とを有している。
【００３１】
メモリ部２２は、電話帳データを保存する電話帳データ保存エリア２２Ａと、電話帳内の電話番号毎に同電話番号の相手先の画像を保存する電話帳画像保存エリア２２Ｂと、表示部２０の待機画面画像を保存する待機画面画像保存エリア２２Ｃと、データ種別に対応した実行タスクに関わるタスク制御プログラムを設定格納した実行タスク設定エリア２２Ｄと、設定可能な実行タスクに関わるタスク制御プログラムを格納した実行タスク格納エリア２２Ｅと、各種作業を実行する作業エリア２２Ｆとを有している。
【００３２】
尚、電話帳データ保存エリア２２Ａは、電話番号や名前等の電話帳を表示部２０に一覧表示するための電話帳データを保存する領域である。また、電話帳画像保存エリア２２Ｂは、電話帳内の電話番号毎に同電話番号の相手先の写真等の画像を表示部２０に表示するための画像データを保存する領域である。
【００３３】
フォーマット解析部１９は、赤外線通信インタフェース１６を通じて携帯電話機２の内部メモリ２Ａ又はカード型記憶装置２Ｂに記憶中のデータをオブジェクトとして取得すると、このオブジェクトに含まれるオブジェクトフォーマットを解析し、オブジェクトフォーマットがｖＣａｒｄの場合はデータ種別を電話帳データと判断し、オブジェクトフォーマットがｖＮｏｔｅの場合、データ種別を画像データと判断し、オブジェクトフォーマットがｖＭｅｓｓａｇｅの場合、データ種別を電子メールデータと判断するものである。
【００３４】
実行タスク設定エリア２２Ｄは、データ種別毎に実行タスクに対応したタスク制御プログラムが保存されており、初期設定において、電話帳データの場合、電話帳ダイヤル発信動作に関わるタスク制御プログラム、画像データの場合、待機画面登録動作に関わるタスク制御プログラム、電子メールデータの場合、電子メール印刷出力動作に関わるタスク制御プログラムが保存されているものとする。
【００３５】
また、実行タスク格納エリア２２Ｅには、ファクシミリ装置１にて設定可能な実行タスクに関わるタスク制御プログラムが格納されており、例えば電話帳データの場合は電話帳ダイヤル発信動作の他に、受信した電話帳データを電話帳データ保存エリア２２Ａに保存する電話帳登録動作に関わるタスク制御プログラム、画像データの場合は待機画面登録動作の他に、受信した画像データを電話帳画像保存エリア２２Ｃに保存する電話帳画像登録動作に関わるタスク制御プログラム、電子メールデータの場合は印刷出力動作の他に、受信した電子メールのメール内容をファクシミリ送信する電子メールファクシミリ送信動作に関わるタスク制御プログラム等が格納されているものとする。
【００３６】
従って、実行タスク格納エリア２２Ｅ内の複数のタスク制御プログラムから、ユーザ所望の実行タスクに関わるタスク制御プログラムをデータ種別毎に選択して、同実行タスクに関わるタスク制御プログラムを実行タスク設定エリア２２Ｄに保存するものである。
【００３７】
図２に示すファクシミリ装置１は、操作部２１及び表示部２０の他に、送受話器２４と、赤外線通信インタフェース１６の赤外線受光部１６Ａとを備え、操作部２１は、ダイヤル番号を入力するダイヤルキー２１Ａと、原稿読取動作を開始するスタートキー２１Ｂと、原稿読取動作を停止するストップキー２１Ｃと、メニューを表示部２０に一覧表示するメニューキー２１Ｄと、表示部２０に表示中の内容をカーソル選択する選択キー２１Ｅと、カーソル選択した内容を決定する決定キー２１Ｆと、赤外線通信インタフェース１６を通じて携帯電話機２との通信動作を開始する赤外線通信キー２１Ｇとを備えている。
【００３８】
尚、本願請求項記載のファクシミリ装置はファクシミリ装置１、端末装置は携帯電話機２、赤外線通信機能は赤外線通信インタフェース１６、データ判別手段及びフォーマット解析手段はフォーマット解析部１９、表示手段は表示部２０、選択手段は選択キー２１Ｅ及び決定キー２１Ｆ、タスク記憶手段は実行タスク設定エリア２２Ｄ、データ判別手段、タスク制御手段及び記憶制御手段は主制御部２３に相当するものである。
【００３９】
次に本実施の形態を示すファクシミリ装置１の動作について説明する。図３は本実施の形態を示すファクシミリ装置１の実行タスク設定処理に関わる主制御部２３の処理動作を示すフロー図である。
【００４０】
図３に示す実行タスク設定処理は、データ種別に対応した実行タスクに関わるタスク制御プログラムを実行タスク設定エリア２２Ｄに対して任意に設定登録するための処理である。尚、実行タスク設定エリア２２Ｄには、初期設定で、電話帳データの場合は電話帳ダイヤル発信動作に関わるタスク制御プログラム、画像データの場合は待機画面画像登録動作に関わるタスク制御プログラム、電子メールデータの場合は印刷出力動作に関わるタスク制御プログラムが設定保存されているものとする。
【００４１】
図３において主制御部２３は、メニューキー２１Ｄを押下操作して(ステップＳ１１)、メニュー一覧を表示部２０に表示した後、選択キー２１Ｅ及び決定キー２１Ｆを押下操作して実行タスク設定メニューを選択決定し(ステップＳ１２)、実行タスク設定メニューから変更対象のデータ種別を選択する(ステップＳ１３)。尚、データ種別としては、電話帳データ、画像データ及び電子メールデータがある。
【００４２】
主制御部２３は、変更対象のデータ種別が電話帳データであるか否かを判定する(ステップＳ１４)。主制御部２３は、変更対象のデータ種別が電話帳データであると判定されると、実行タスク格納エリア２２Ｅから変更可能な実行タスクを表示部２０に一覧表示し(ステップＳ１５)、この一覧表示から電話帳データに対応した実行タスクを選択キー２１Ｅ及び決定キー２１Ｆを使用して選択し(ステップＳ１６)、この選択した実行タスクに関わるタスク制御プログラムを実行タスク設定エリア２２Ｄに保存することで(ステップＳ１７)、この処理動作を終了する。尚、ステップＳ１５の電話帳データに対応する実行タスクとしては、例えば受信した電話帳データを使用した電話帳ダイヤル発信動作や、電話帳データを電話帳データ保存エリア２２Ａに登録する電話帳登録動作に相当するものである。
【００４３】
また、主制御部２３は、ステップＳ１４にて変更対象のデータ種別が電話帳データでないと判定されると、変更対象のデータ種別が画像データであるか否かを判定する(ステップＳ１８)。主制御部２３は、変更対象のデータ種別が画像データであると判定されると、実行タスク設定エリア２２Ｅから変更可能な実行タスクを表示部２０に一覧表示し(ステップＳ１９)、この一覧表示から画像データに対応した実行タスクを選択キー２１Ｅ及び決定キー２１Ｆを使用して選択し(ステップＳ２０)、この選択した実行タスクに関わるタスク制御プログラムを実行タスク設定エリア２２Ｄに保存することで(ステップＳ２１)、この処理動作を終了する。尚、ステップＳ１６の画像データに対応する実行タスクとして、例えば受信した画像データを待機画面画像登録エリア２２Ｃに登録する待機画面登録動作や、受信した画像データを電話帳画像保存エリア２２Ｂに登録する電話帳画像登録動作に相当するものである。
【００４４】
主制御部２３は、ステップＳ１８にて変更対象のデータ種別が画像データでないと判定されると、変更対象のデータ種別が電子メールデータであるか否かを判定する(ステップＳ２２)。主制御部２３は、変更対象のデータ種別が電子メールデータであると判定されると、実行タスク格納エリア２２Ｅから変更可能な実行タスクを表示部２０に一覧表示し(ステップＳ２３)、この一覧表示から電子メールデータに対応した実行タスクを選択キー２１Ｅ及び決定キー２１Ｆを使用して選択し(ステップＳ２４)、この選択した実行タスクに関わるタスク制御プログラムを実行タスク設定エリア２２Ｄに保存することで(ステップＳ２５)、この処理動作を終了する。尚、ステップＳ２３の電子メールデータに対応する実行タスクとしては、例えば受信した電子メールデータの印刷出力動作や、受信した電子メールデータのメール内容を送信する電子メールファクシミリ送信動作に相当するものである。
【００４５】
また、主制御部２３は、ステップＳ２２にて変更対象のデータ種別が電子メールデータでないと判定されると、この処理動作を終了する。
【００４６】
図３に示す実行タスク設定処理によれば、データ種別に応じて実行タスクを任意に選択可能とし、データ種別に対応した実行タスクに関わるタスク制御プログラムを実行タスク設定エリア２２Ｄに保存するようにしたので、データ種別に対応した実行タスクをユーザ側で任意に設定することができる。
【００４７】
図４及び図５は本実施の形態を示すファクシミリ装置１のタスク実行処理に関わる主制御部２３の処理動作を示すフロー図である。
【００４８】
図４及び図５に示すタスク実行処理は、携帯電話機２から赤外線受信したオブジェクトのデータ種別に応じて設定中の実行タスクを自動的に実行する処理である。
【００４９】
図４において主制御部２３は、赤外線通信キー２１Ｇの押下操作を検出すると(ステップＳ３１)、携帯電話機２との赤外線通信インタフェース１６を通じて赤外線接続の検知動作を開始する(ステップＳ３２)。尚、携帯電話機２側では、ファクシミリ装置１に伝送したいデータを選択すると共に、同データを伝送するための赤外線通信をメニュー選択するものである。
【００５０】
主制御部２３は、赤外線通信インタフェース１６を通じて携帯電話機２との赤外線接続を検出したか否かを判定する(ステップＳ３３)。主制御部２３は、携帯電話機２との赤外線接続を検出したのであれば、データ読出部１８を通じて同携帯電話機２からデータ、すなわちオブジェクトを読出受信する(ステップＳ３４)。尚、携帯電話機２側では赤外線通信でデータ伝送が完了すると、送信完了メッセージを画面表示するものとする。
【００５１】
主制御部２３は、ステップＳ３４にて携帯電話機２からオブジェクトを受信すると、フォーマット解析部１９を通じてＩｒＭＣ規格のオブジェクトフォーマットを解析し(ステップＳ３５)、実行タスク設定エリア２２Ｄに保存中の設定内容を作業領域２２Ｆに展開する(ステップＳ３６)。
【００５２】
主制御部２３は、ステップＳ３５の解析結果に基づき、オブジェクトフォーマットがｖＣａｒｄであるか否かを判定する(ステップＳ３７)。オブジェクトフォーマットがｖＣａｒｄであると判定されると、実行タスクの設定が初期設定の電話帳ダイヤル発信動作であるか否かを判定する(ステップＳ３８)。
【００５３】
主制御部２３は、実行タスクの設定が電話帳ダイヤル発信動作であると判定されると、電話帳に含まれる名前及び電話番号を表示部２０に表示し(ステップＳ３９)、相手先の電話番号をカーソル選択した後、オフフック操作を検出すると(ステップＳ４０)、表示部２０に表示中の電話番号に対して電話帳ダイヤル発信動作を実行することで(ステップＳ４１)、この処理動作を終了する。
【００５４】
主制御部２３は、ステップＳ３８にて実行タスクの設定が電話帳ダイヤル発信動作でないと判定されると、電話帳ダイヤル発信動作でないと判定されると、電話帳登録動作であると判断し、電話帳データの内容である名前、電話番号及びメールアドレスを表示部２０に表示し(ステップＳ４２)、決定キー２１Ｆの押下操作を検出すると(ステップＳ４３)、同電話帳データを電話帳データ保存エリア２２Ａに登録する電話帳登録動作を実行し(ステップＳ４４)、動作を継続するか否かを判定する(ステップＳ４５)、動作を継続するのであれば、ステップＳ３３に移行する。
【００５５】
主制御部２３は、ステップＳ４５にて動作を継続しないのであれば、この処理動作を終了する。
【００５６】
主制御部２３は、ステップＳ３７にてオブジェクトフォーマットがｖＣａｒｄでないと判定されると、図５に示すＭ１に移行する。
【００５７】
図５に示すＭ１において主制御部２３は、ステップＳ３５の解析結果に基づき、オブジェクトフォーマットがｖＮｏｔｅであるか否かを判定する(ステップＳ５１)。
【００５８】
主制御部２３は、オブジェクトフォーマットがｖＮｏｔｅであると判定されると、データ種別が画像データであると判断し、実行タスクの設定が初期設定の待機画面登録動作であるか否かを判定する(ステップＳ５２)。主制御部２３は、実行タスクの設定が待機画面登録動作であると判定されると、画像データを表示部２０に画面表示し(ステップＳ５３)、決定キー２１Ｆの押下操作を検出すると(ステップＳ５４)、この画像データの待機画面登録動作を実行することで(ステップＳ５５)、この処理動作を終了する。
【００５９】
主制御部２３は、ステップＳ５２にて実行タスクの設定が待機画面登録動作でないと判定されると、画像データを表示部２０に画面表示し(ステップＳ５６)、同画像データが電話帳画像登録動作であると判断し、選択キー２１Ｅを使用して画像登録する電話帳を選択し（ステップＳ５７）、決定キー２１Ｆの押下操作を検出すると(ステップＳ５８)、電話帳画像登録動作を実行することで(ステップＳ５９)、この処理動作を終了する。
【００６０】
また、主制御部２３は、ステップＳ５１にてオブジェクトフォーマットがｖＮｏｔｅでないと判定されると、ステップＳ３５の解析結果に基づき、オブジェクトフォーマットがｖＭｅｓｓａｇｅであるか否かを判定する(ステップＳ６０)。
【００６１】
主制御部２３は、オブジェクトフォーマットがｖＭｅｓｓａｇｅであると判定されると、データ種別が電子メールデータであると判断し、実行タスクの設定が初期設定の印刷出力動作であるか否かを判定する(ステップＳ６１)。
【００６２】
主制御部２３は、ステップＳ６１にて実行タスクの設定が印刷出力動作であると判定されると、電子メール印刷出力動作を実行することで（ステップＳ６２）、この処理動作を終了する。また、主制御部２３は、ステップＳ６２にて実行タスクの設定が印刷出力動作でないと判定されると、例えば電子メールファクシミリ送信動作であると判断し、宛先の電話番号を入力した後(ステップＳ６３)、スタートキー２１Ｂの押下操作を検出すると(ステップＳ６４)、同電子メールのメール内容を指定宛先にファクシミリ送信動作を実行することで(ステップＳ６５)、この処理動作を終了する。
【００６３】
また、主制御部２３は、ステップＳ６０にてオブジェクトフォーマットがｖＭｅｓｓａｇｅでないと判定されると、表示部２０にエラー表示し(ステップＳ６６)、動作を継続するか否か判定する(ステップＳ６７)。
【００６４】
主制御部２３は、ステップＳ６７にて動作を継続するのであれば、図４に示すＭ２に移行すると共に、ステップＳ６７にて動作を継続するのでなければ、この処理動作を終了する。
【００６５】
図４及び図５に示すタスク実行処理によれば、ファクシミリ装置１側にて携帯電話機２との赤外線通信でオブジェクトを受信すると、このオブジェクトのオブジェクトフォーマットを解析し、この解析結果に基づきデータ種別を判別し、このデータ種別に応じて実行タスク設定エリア２２Ｄに記憶中の実行タスク、すなわち作業領域２２Ｆに展開中の実行タスクに関わるタスク制御プログラムを読み出し、このタスク制御プログラムに基づきタスク動作を自動的に実行することができる。
【００６６】
従って、本実施の形態によれば、データのデータ種別に対応した実行タスクに関わるタスク制御プログラムを実行タスク設定エリア２２Ｄに記憶しておき、赤外線通信インタフェース１６を通じて携帯電話機２からオブジェクトを受信すると、このオブジェクトのオブジェクトフォーマットの解析結果に基づきデータ種別を判別し、このデータ種別に対応したタスク制御プログラムを実行タスク設定エリア２２Ｄから読み出し、このタスク制御プログラムに基づき、実行タスクに関わる制御動作を実行するようにしたので、例えばデータ種別が電話帳データの場合は電話帳ダイヤル発信動作、電子メールデータの場合は電子メールの印刷出力動作、画像データの場合はファクシミリ装置１の待機画面登録動作等のように携帯電話機２から受信したオブジェクトのデータ種別に応じて、バリエーションに富んだ様々なタスク動作を実行することができ、その結果、ユーザの操作負担を大幅に軽減することができると共に、その操作速度の大幅向上を図ることができる。
【００６７】
本実施の形態によれば、選択可能な実行タスクを表示部２０に一覧表示し、選択キー２１Ｅ及び決定キー２１Ｆにてデータ種別に対応した実行タスクをカーソル選択すると、このデータ種別に対応した実行タスクに関わるタスク制御プログラムを実行タスク設定エリア２２Ｄに記憶更新するようにしたので、ユーザ側でデータ種別に対応した実行タスクを自由に設定することができる。
【００６８】
本実施の形態によれば、赤外線通信インタフェース１６を通じてオブジェクトを受信すると、このオブジェクトからＩｒＭＣ規格に基づくオブジェクトフォーマットを解析し、このオブジェクトフォーマットに基づきデータ種別を判別するようにしたので、例えばオブジェクトフォーマットがｖＣａｒｄの場合は電話帳データ、ｖＮｏｔｅの場合は画像データ、ｖＭｅｓｓａｇｅの場合は電子メールデータといったように、ＩｒＭＣ規格に基づきデータ種別を判別することができる。
【００６９】
本実施の形態によれば、赤外線通信インタフェース１６を通じて携帯電話機２から電話帳データを受信すると、この電話帳データに対応したタスク制御プログラムを読み出し、このタスク制御プログラムに基づき、例えば電話帳データによる電話帳ダイヤル発信動作又は電話帳登録動作を自動的に実行することができる。
【００７０】
本実施の形態によれば、赤外線通信インタフェース１６を通じて携帯電話機２から電子メールデータを受信すると、この電子メールデータに対応したタスク制御プログラムを読み出し、このタスク制御プログラムに基づき、例えば電子メール内容の印刷出力動作又は、同メール内容をファクシミリ送信する電子メールファクシミリ送信動作を自動的に実行することができる。
【００７１】
本実施の形態によれば、赤外線通信インタフェース１６を通じて携帯電話機２から画像データを受信すると、この画像データに対応したタスク制御プログラムを読み出し、このタスク制御プログラムに基づき、受信した画像データの待機画面登録動作、又は電話帳画像登録動作を自動的に実行することができる。
【００７２】
尚、上記実施の形態においては、ファクシミリ装置１と赤外線通信する端末装置を携帯電話機２に言及して説明したが、携帯電話機２だけでなく、ＩｒＭＣ規格を準拠したモバイル端末等であっても、同様の効果が得られることは言うまでもない。
【００７３】
また、上記実施の形態においては、受信したオブジェクトのデータ種別毎に実行タスク設定エリア２２Ｄに設定中の実行タスクに関わるタスク制御プログラムを実行し、例えば画像データを受信した場合、待機画面登録動作又は電話帳画像登録動作を実行するようにしたが、例えば画像データを所定宛先にＬメールで送信する写真ＬメールやイラストＬメール等のＬメール送信動作を実行するようにしても良く、データ種別毎に各種タスク動作が考えられることは言うまでもない。
【００７４】
また、上記実施の形態においては、ＩｒＭＣ規格のオブジェクトフォーマットとしてｖＣａｒｄ、ｖＮｏｔｅ及びｖＭｅｓｓａｇｅを例に挙げたが、オブジェクトフォーマットとしてデータ種別毎にファクシミリ装置１でタスク動作を実行することができることを前提にすれば、これらｖＣａｒｄ，ｖＮｏｔｅ及びｖＭｅｓｓａｇｅに限定されることはなく、様々な対応が考えられることは言うまでもない。
【産業上の利用可能性】
【００７５】
本発明のファクシミリ装置によれば、データのデータ種別に対応した実行タスクに関わるタスク制御プログラムをタスク記憶手段に記憶しておき、赤外線通信機能を通じて前記端末装置からデータを受信すると、このデータのデータ種別を判別し、このデータ種別に対応したタスク制御プログラムを前記タスク記憶手段から読み出し、このタスク制御プログラムに基づき、実行タスクに関わる制御動作を実行するようにしたので、例えばデータ種別が電話帳データの場合は電話帳ダイヤル発信動作、電子メールデータの場合は電子メールの印刷出力動作、画像データの場合は待機画面登録動作等のように端末装置から受信したデータのデータ種別に応じて様々なタスク動作を実行することができるため、ＩｒＭＣ規格に準拠したファクシミリ装置に有用である。
【図面の簡単な説明】
【００７６】
【図１】本実施の形態を示すファクシミリ装置内部の概略構成を示すブロック図
【図２】本実施の形態を示すファクシミリ装置の外観構成を示す正面図
【図３】本実施の形態に関わる実行タスク設定処理の主制御部の処理動作を示すフロー図
【図４】本実施の形態に関わるタスク実行処理の主制御部の処理動作を示すフロー図
【図５】本実施の形態に関わるタスク実行処理の主制御部の処理動作を示すフロー図
【図６】ＩｒＭＣ規格のオブジェクト構成を端的に示す説明図    （Ａ）電話帳データ（ｖＣａｒｄ）    （Ｂ）画像データ（ｖＮｏｔｅ）    （Ｃ）電子メールデータ（ｖＭｅｓｓａｇｅ）
【符号の説明】
【００７７】
１  ファクシミリ装置
２  携帯電話機(端末装置)
１６  赤外線通信インタフェース（赤外線通信機能）
１９  フォーマット解析部（データ判別手段、フォーマット解析手段）
２０  表示部(表示手段)
２１Ｅ  選択キー(選択手段)
２１Ｆ  決定キー(選択手段)
２２Ｄ  実行タスク設定エリア(タスク記憶手段)
２３  主制御部(データ判別手段、タスク制御手段、記憶制御手段)
【図１】
2006340308.tif 000003
【図２】
2006340308.tif 000004
【図３】
2006340308.tif 000005
【図４】
2006340308.tif 000006
【図５】
2006340308.tif 000007
【図６】
2006340308.tif 000008